(57)【特許請求の範囲】
【請求項１】
受信したデジタル変調波を復調してデジタルデータを再生し、再生したデジタルデータを再度デジタル変調して送信する再生中継型中継装置において、
受信信号からクロックを抽出するクロック抽出回路と、
電圧制御型の水晶発振器をループに含み、受信信号から抽出したクロックを基準とするＰＬＬ回路と、
このＰＬＬ回路の出力を基準クロックとし、搬送波信号を出力する周波数シンセサイザーと、
この周波数シンセサイザーの出力に基づいてデジタル変調を行う変調部、
を含むことを特徴とする再生中継型中継装置。
【発明の詳細な説明】
【０００１】
【発明の属する技術分野】
本発明は再生中継型中継装置に関し、詳しくはデジタル放送（音声、画像、デジタルデータなど）における再生中継型中継装置の送信周波数精度の改善に関するものである。
【０００２】
【従来の技術】
図２は従来のデジタル放送における再生中継方式の概念図、図３は従来の再生中継型中継装置の構成例である。
図２において、放送主局１から送出されたデジタル変調放送信号は、例えば通信衛星２を経由し中継局３へ送られる。
【０００３】
中継局３としては、再生中継型または周波数変換型が用いられている。再生中継型の場合には、受信したデジタル変調波を復調した後、再び多重化・デジタル変調して各受信機４へ送出する。周波数変換型の中継局では中継の際にデジタル変調波のＳ／Ｎ比が悪化するのに比べ、再生中継型の中継器では一旦デジタル復調を行い信号を再生するため、Ｓ／Ｎの悪化は生じないという利点がある。
【０００４】
ところで、中継局（再生中継型、周波数変換型ともに）から送出されるデジタル変調波の搬送波周波数偏差としては、0.01ppm程度の高安定性が必要とされている。
その理由の一つは、各受信機の周波数同調のキャプチャ・レンジが狭いため、周波数偏差が悪いと受信機で正確にデジタル変調波を復調することができないことである。これに加えて、車などの移動体に受信機が設置された場合、順次複数の中継局からの放送を切り替えながら受信するので、受信機は瞬時に各中継局の搬送波周波数に同調できなければならない。
【０００５】
図３は従来の再生中継型中継局の構成例を示すブロック図である。
通信衛星２などから送出されるデジタル変調波は、受信・復調部５で復調される。受信・復調部５は、アンテナ、ダウンコンバータ、ＩＱ復調器、伝送路復号化器などから構成されている。
【０００６】
受信・復調部５の出力データは多重化器６に入力され、多チャンネルのデータ多重化が行われる。
【０００７】
多重化器６で多重化されたデジタルデータは送信・変調部７に入力され、デジタル変調波の放送波に変換されて各受信機４に送出される。送信・変調部７は、変調器、アップコンバータ、高周波増幅器、アンテナなどで構成されている。
【０００８】
ＴＣＸＯ８は高安定の水晶発振器であり、周波数シンセサイザー９に周波数誤差の極めて小さい高精度の基準クロックを出力する。
【０００９】
周波数シンセサイザー９は、送信・変調部７に周波数偏差の極めて小さい高精度の搬送波を出力する。
【００１０】
【発明が解決しようとする課題】
このように、従来の再生中継型中継装置では周波数基準として高安定な水晶発振器８が用いられているが、高安定水晶発振器は非常に高価なため、中継器をコストダウンする際の課題となっていた。
【００１１】
また、各中継局は個別に独立した基準周波数を用いることになるので、各中継局の基準周波数の精度を維持するためには周波数の校正点検など定期的な保守作業が必要になる。
【００１２】
さらに、中継局を新規に開設する場合や、電源の故障や機器点検などで中継器を休止させていた状態から再開させる場合にも、その中継局の基準周波数のチェックや周波数が安定するまでのセットアップ時間が必要になる。
【００１３】
本発明は、このような従来の課題を解決するものであり、高安定な水晶発振器を用いることなく、定期的な保守点検も不要で、デジタル変調波の搬送波周波数偏差の高安定性が得られる再生中継型中継装置を実現するものである。
【００１４】
【課題を解決するための手段】
このような目的を達成する請求項１の発明は、
受信したデジタル変調波を復調してデジタルデータを再生し、再生したデジタルデータを再度デジタル変調して送信する再生中継型中継装置において、
受信信号からクロックを抽出するクロック抽出回路と、
電圧制御型の水晶発振器をループに含み、受信信号から抽出したクロックを基準とするＰＬＬ回路と、
このＰＬＬ回路の出力を基準クロックとし、搬送波信号を出力する周波数シンセサイザーと、
この周波数シンセサイザーの出力に基づいてデジタル変調を行う変調部、
を含むことを特徴とする。
【００１５】
これにより、再生中継のためのデジタル変調部の周波数精度は、受信信号から抽出したクロックに基づくことになり、水晶発振器として比較的安価なものを用いることができる。
【００１６】
【発明の実施の形態】
図１は本発明の実施の形態の一例を示すブロック図であり、図３と共通する部分には同一の符号を付けている。
図１と図３の異なる点は、図３の高安定の水晶発振器ＴＣＸＯ８の代わりに、図１では受信信号から抽出したクロックを基準とするＰＬＬ回路の出力を用いていることである。
【００１７】
クロック抽出回路１０は、受信信号から放送データに同期したクロックを抽出し、抽出したクロックを同期クロックとして位相比較器１１の一方の入力端子に入力する。
【００１８】
位相比較器１１の他方の入力端子には、プリスケーラー１４を介して電圧制御型の水晶発振器（ＶＣＸＯ）１３の出力信号が入力されている。位相比較器１１は、クロック抽出回路１０で抽出された基準クロックと水晶発振器１３の出力信号の位相を比較する。
【００１９】
ループフィルタ１２は、位相比較器１１の出力をフィルタリングする。
【００２０】
プリスケーラー１４は、水晶発振器１３の出力を所望の分周比に分周する。
【００２１】
これら位相比較器１１、ループフィルタ１２、水晶発振器１３およびプリスケーラー１４は、水晶発振器１３を中心とするＰＬＬ回路を構成していて、その出力周波数はクロック抽出回路１０で受信信号から抽出されたクロックに同期するように高精度に制御される。このような高精度の基準クロックの発生にあたっては、従来のような高価なＴＣＸＯ８を用いなくてもよく、大幅なコスト削減が可能になる。
【００２２】
このＰＬＬ回路の出力は、シンセサイザー９に基準クロックとして入力されている。これにより、シンセサイザー９は、放送主局１から送信されるクロックに同期した周波数誤差が極めて小さい高精度の搬送波信号を生成して送信・変調部７に供給できることになる。
【００２３】
図２の各中継局３をそれぞれ図１のような構成にすることにより、各中継局３のＰＬＬ回路の出力は高精度の同期が確立でき、各中継局３の完全な互換性が図れる。
【００２４】
【発明の効果】
以上説明したように、本発明によれば、高安定な水晶発振器を用いることなく、定期的な保守点検も不要で、デジタル変調波の搬送波周波数偏差の高安定性が得られる再生中継型中継装置を実現でき、デジタル放送などの再生中継型中継装置として好適である。
【図面の簡単な説明】
【図１】本発明の実施の形態の一例を示すブロック図である。
【図２】従来のデジタル放送における再生中継方式の概念図である。
【図３】従来の再生中継型中継装置の構成例である。
【符号の説明】
１  放送主局
２  通信／放送衛星
３  中継局
４  受信機
５  受信・復調部
６  多重化器
７  送信・変調部
９  シンセサイザー
１０  クロック抽出回路
１１  位相比較器
１２  ループフィルタ
１３  水晶発振器（ＶＣＸＯ）
１４  プリスケーラー
【図１】
0003767348.tif 000002
【図２】
0003767348.tif 000003
【図３】
0003767348.tif 000004